(57)【要約】【課題】魚が掛かった時など横桿が下方側に曲がって魚の引きを緩和し、上方側には曲がらないようにして屈曲部の折れを防止した釣り用天秤を提供することである。【解決手段】釣り用天秤１は、金属製の線材で形成された縦桿２と、縦桿２から周方向外方に突出する金属製の線材で形成された横桿３を有している。  横桿３の基端部（縦軸部）３ａは、縦桿２に沿うように屈曲されて縦桿２の下端の仕掛け止着部２ｂ近接の上方にリベット等の連結部材Ｃで締め付けて、その周辺を溶接して固定されており、固定部分の下側に屈曲部３ｂが形成されて、横桿３は屈曲部３ｂを介して縦桿２から略直角にその周方向へ突出して縦桿２と横桿３の基端部（縦軸部）３ａに規制体５が取り付けられて規制体５の度当部材５ａは屈曲部３ｂの上方を覆って度当部材５ａの下側には凹部５ｂが形成されて凹部５ｂに横桿３が下側から嵌められている。【選択図】    図３
2010227040.tif 000002
【特許請求の範囲】
【請求項１】
金属線材を折り曲げて形成した屈曲部を介して上下方向の縦桿と該縦桿から外方に突出する横桿を有する釣り用天秤において、前記屈曲部に前記横桿の下方への変形は規制しないで上方への変形を規制する規制体を設けたことを特徴とする釣り用天秤。
【請求項２】
規制体は縦桿側に取り付き、屈曲部の上方を覆う度当部材であることを特徴とする請求項１に記載の釣り用天秤。
【請求項３】
規制体は屈曲部の中間部よりも横桿の先端側に及んで配されていることを特徴とする請求項１又は２に記載の釣り用天秤。
【請求項４】
規制体は屈曲部の下方に横桿が納まる凹部を有することを特徴とする請求項１から３のいずれかに記載の釣り用天秤。
【発明の詳細な説明】
【技術分野】
【０００１】
本発明は、縦桿と横桿を有する釣り用天秤に関する。
【背景技術】
【０００２】
従来から釣りには釣り用天秤が使用され、特に、船釣り等では、幹糸（道糸）に対して枝素（ハリス）の位置をずらして取り付け、仕掛けの上げ下ろし操作において絡みを防止する工夫がなされている。
釣り用天秤は特許文献１のように主に金属線材を折り曲げて形成され、この屈曲部を介して一端側が縦方向に向かう縦桿と他端側からこの縦桿に対して横方向に向かう横桿を有し、縦桿の上端（先端）にリングなどの幹糸の取り付け部が形成され、横桿の先端にもリングなどの枝素の取り付け部が形成されている。
ところが、このような釣り用天秤は、魚が掛かった時など横桿が下方に曲がって魚の引きを緩和するが、釣りに夢中になるとこの横桿を持って魚を引き揚げてしまうことがあり、この時重りの重さで縦桿は垂直状態を保とうとするが、重りの重さで下に引かれながら横桿を持ち上げているので、上方側に極端に曲げると屈曲部に応力が掛かって変形してしまう虞がある。
例えば特許文献１の従来例の第４図は、屈曲部の上方側に結束金具が取り付けられているが、横桿は、上下の両方向に曲げられるため魚を取り込む時に横桿を持ってしまい横桿が上方側に極端に曲げると屈曲部に応力が掛かって変形、疲労してしまう虞がある。
一方、特許文献１の第１図に示された例は、屈曲部に管状の結束金具が取り付けられているため屈曲部の上下両方向の屈曲が規制されてしまい釣り用天秤が有する横桿が下方に曲がって魚の引きを緩和する作用も規制されてしまう。
【特許文献１】実開平１−１１８６６７号公報
【発明の概要】
【発明が解決しようとする課題】
【０００３】
解決しようとする問題点は、釣り用天秤の屈曲部に管状の結束金具が取り付けられて屈曲部の上下両方向の曲がりが規制されてしまい横桿が上方に曲がった時に変形しやすかったり、釣り用天秤の有する横桿が下方に曲がって魚の引きを緩和する作用も規制されてしまうことである。
【０００４】
本発明の目的は前記欠点に鑑み、魚が掛かった時など横桿が下方側に曲がって魚の引きを緩和し、上方側には曲がらないようにして屈曲部の折れを防止した釣り用天秤を提供することである。
【課題を解決するための手段】
【０００５】
本発明の請求項１は、金属線材を折り曲げて形成した屈曲部を介して上下方向の縦桿と該縦桿から外方に突出する横桿を有する釣り用天秤において、前記屈曲部に前記横桿の下方への変形を規制しないで上方への変形を規制する規制体を設けたことを要旨とするものである。
本発明の請求項２は、規制体は縦桿側に取り付き、屈曲部の上方を覆う度当部材であることを要旨とするものである。
本発明の請求項３は、規制体は屈曲部の中間部よりも横桿の先端側に及んで配されていることを要旨とするものである。
本発明の請求項４は、規制体は屈曲部の下方に横桿が納まる凹部を有することを要旨とするものである。
【発明の効果】
【０００６】
本発明の請求項１から３によると、魚が掛かった時など横桿が屈曲部においても下方側に曲がって魚の引きを緩和し、上方側には曲がらないようにして屈曲部の折れを防止することができる。
本発明の請求項２によると、横桿が上方に変形した時はその上方を覆う度当部材に当たって屈曲が防止され、横桿の折れが防止される。
本発明の請求項３によると、規制体は屈曲部の中間部よりも横桿の先端側に及んで配されているため、横桿が上方に変形しても屈曲部よりも先端側から曲がるため、屈曲部の中間部に応力が集中しないため横桿の折れが防止される。
本発明の請求項４によると、横桿が下方に曲がった後旧位に戻った時凹部内に嵌まって位置ずれが防止できる。
【産業上の利用可能性】
【０００７】
本発明は釣り用天秤全般に利用できる。
【図面の簡単な説明】
【０００８】
【図１】第１実施例で、仕掛けを取り付けた釣り用天秤の側面図である。
【図２】同規制体の斜視図である。
【図３】同仕掛けを取り付けた釣り用天秤の断面側面図と要部拡大断面側面図である。
【図４】第２実施例で、仕掛けを取り付けた釣り用天秤の断面側面図である。
【発明を実施するための最良の形態】
【０００９】
釣り用天秤１は、ステンレスやニッケルチタン合金等の金属製の線材で形成された上下方向に延びるように配される縦桿２と、縦桿２から周方向外方に突出する縦桿２と別体の金属製の線材で形成された横桿３を有している。
横桿３の基端部（縦軸部）３ａは、縦桿２に沿うように屈曲されて縦桿２の下端の仕掛け止着部２ｂ近接の上方にリベット等の連結部材Ｃで締め付けて、その周辺を溶接して固定されており、この上下方向に配された基端部３ａは縦桿２の一部分を形成し固定部分の下側に屈曲部３ｂが形成されて、横桿３は屈曲部３ｂを介して縦桿２に対して略直角にその周方向へ先端部（横軸部）３ｅが突出している。
縦桿２と横桿３の基端部（縦軸部）３ａに規制体５が取り付けられて規制体５の度当部材５ａは屈曲部３ｂの上方を覆っている。
度当部材５ａの下側には凹部５ｂが形成されて凹部５ｂに横桿３が下側から収納されている。
管材４と規制体５は金属や合成樹脂からなり、管材４の筒部４ａの中に縦桿２の上端の仕掛け止着部２ａと下端の仕掛け止着部２ｂの間の部分が挿通され、管材４の筒部４ａは縦桿２に遊嵌されているため両仕掛け止着部２ａ、２ｂ間を上下に移動できる。
規制体５に開けた縦方向の孔５ｃの中に縦桿２と横桿３の基端部３ａが嵌められて連結部材Ｃで上方への移動が規制されている。
【実施例１】
【００１０】
以下、図示の実施例によって本発明を説明すると、図１から図３は第１実施例で、図１は仕掛けを取り付けた釣り用天秤の側面図、図２は規制体の斜視図、図３は仕掛けを取り付けた釣り用天秤の断面側面図と要部拡大断面側面図である。
【００１１】
釣り用天秤１は、ステンレスやニッケルチタン合金等の金属製の線材で形成された上下方向に延びるように配される縦桿２と、縦桿２に添設され縦桿２から周方向外方に突出する縦桿２と別体の金属製の線材で形成された横桿３を有している。
図３のように、縦桿２は、その先端と下端を折曲して折り返し、それぞれ仕掛け止着部２ａ、２ｂが形成され、それぞれの仕掛け止着部２ａ、２ｂの折り返し部分は縦桿２に添設されたリベット等の連結部材Ｃで締め付けて保持され、止着部２ａ、２ｂがリング形状を維持している。
【００１２】
横桿３は、先端側に仕掛け止着部３ｃを有する別体の先端部材３ｄを有し、横桿３に添設されてリベット等の連結部材Ｃで締め付けて固定される。
【００１３】
横桿３の基端部（縦軸部）３ａは、縦桿２に沿うように屈曲されて縦桿２の下端の仕掛け止着部２ｂ近接の上方にリベット等の連結部材Ｃで締め付けて、その周辺を溶接して固定されておりこの上下方向に配された基端部３ａは縦桿２の一部分を形成し、固定部分の下側に屈曲部３ｂが形成されて、横桿３は屈曲部３ｂを介して縦桿２に対して略直角にその周方向へ先端部（横軸部）３ｅが突出している。
【００１４】
そして、縦桿２の上端の仕掛け止着部２ａと下端の仕掛け止着部２ｂが両端から突出するようにしてその間の縦桿２を横桿３の基端部（縦軸部）３ａとともに管材４の筒部４ａで覆うように取り付けられている。
【００１５】
管材４の筒部４ａの下側の縦桿２と横桿３に規制体５が取り付けられて規制体５の度当部材５ａは屈曲部３ｂの上方を覆っている。
度当部材５ａの下側には凹部５ｂが形成されて凹部５ｂに横桿３が下側から収納されている。
したがって、横桿３が上方に曲げられると度当部材５ａに当接して曲がりが規制され、横桿３が下方に曲げられると度当部材５ａの規制を受けずに曲がるようになっている。
管材４と規制体５は金属や合成樹脂からなり、管材４の筒部４ａの中に縦桿２の上端の仕掛け止着部２ａと下端の仕掛け止着部２ｂの間の部分が挿通され、管材４の筒部４ａは縦桿２に遊嵌されているため両仕掛け止着部２ａ、２ｂ間を上下に移動できる。
規制体５に開けた縦方向の孔５ｃの中に縦桿２と横桿３が嵌められて連結部材Ｃで上方への移動が規制されている。
【００１６】
縦桿２の上端の仕掛け止着部２ａには、道糸６が止着され、縦桿２の下端の仕掛け止着部２ｂには、ヨリモドシ７とスナップ８が設けられ、錘、ビシ等の重り９が容易に取り付け、取り外しできるようになっている。
【００１７】
さらに、横桿３の先端側の仕掛け止着部３ｃに釣り針１０を取り付けたハリス１１等の仕掛けを止着できるようになっている。
【００１８】
縦桿２は、重り９を取り付け、横桿３が固定されてこれを支持するため剛性の大きい材料で形成され、横桿３は、釣り針１０に掛かった魚の引き込みに合わせて撓むように縦桿２よりも剛性が小さく、また、縦桿２よりも長く形成されているため、掛かった魚から釣り針１０が外れたり、ハリス１１が切れたりすることが防止される。
特に横桿３に使用する線材は基端部（縦軸部）３ａから先端側に掛けて同一径に形成されており、このため、基端部（縦軸部）３ａから先端側に掛けて一様に撓み、魚の引き込みに対し、釣り針１０が掛かった部分やハリス１１に急な力がかからず、釣り針１０が外れたり、ハリス１１が切れたりしにくい。
【００１９】
そして、具体的には、縦桿２がステンレスで形成され、横桿３がニッケルチタン合金で形成されており、ニッケルチタン合金は超弾性の性質を有し塑性変形しにくい点で横桿３に適しており、撓っても破損しにくい。
【００２０】
また、縦桿２と横桿３は同じ材料を用いてもよく、例えば、両方をステンレス、またはニッケルチタン合金に統一して釣り用天秤１を形成してもよく、この場合、横桿３は縦桿２に比べて径の小さい線材を用いるとよい。
【００２１】
釣り用天秤１のリベット等の連結部材Ｃで締め付けた部分は、同時に溶接して確実に固定してもよい。
なお、ヨリモドシ７とスナップ８は有していなくてもよい。
また、縦桿２と横桿３の材料は、上記に限らず他の金属製の線材を使用してもよい。
【００２２】
釣り用天秤１が使用される時には、魚が掛かって横桿３が図３の２点鎖線のように先端側が下方に撓んだ後、旧位に戻ると、規制体５の度当部材５ａが屈曲部３ｂの上方を覆っているので、横桿３は凹部５ｂの中に納まり、位置ずれが起こらない。
【００２３】
前記のように釣り用天秤１が構成されると、魚が掛かった時など横桿３が屈曲部３ｂにおいても下方側に曲がって魚の引きを緩和し、上方側には曲がらないようにして屈曲部３ｂの折れを防止することができる。
横桿３が上方に変形した時はその上方を覆う度当部材５ａに当たって屈曲が防止され、横桿３の折れが防止される。
規制体５は上下方向の縦桿２および横桿３の基端部（縦軸部）３ａから外方へ突出する横桿３の先端部（横軸部）３ｅに屈曲変移する範囲Ｗの屈曲部３ｂの屈曲中心となる中間部Ｄよりも横桿３の先端部（横軸部）３ｅ側に及んで配されているため、横桿３が上方に変形しても屈曲部３ｂよりも先端側から曲がるため、屈曲部３ｂの中間部に応力が集中しないため横桿３の折れが防止される。
横桿３が下方に曲がった後旧位に戻った時凹部５ｂ内に嵌まって位置ずれが防止できる。
【実施例２】
【００２４】
図４は第２実施例で、図４は仕掛けを取り付けた釣り用天秤の断面側面図である。
【００２５】
釣り用天秤１′は、ステンレスやニッケルチタン合金等の金属製の線材で形成された上下方向に延びるように配される縦桿２と、縦桿２に添設され縦桿２から周方向外方に突出する縦桿２と一体の金属製の線材で形成された横桿３を有している。
縦桿２は、その先端と下端を折曲して折り返し、それぞれ仕掛け止着部２ａ、２ｂが形成され、それぞれの仕掛け止着部２ａ、２ｂの折り返し部分は縦桿２に添設されたリベット等の連結部材Ｃで締め付けて保持され、止着部２ａ、２ｂがリング形状を維持している。
【００２６】
横桿３は、先端側に仕掛け止着部３ｃを有する別体の先端部材３ｄを有し、横桿３に添設されてリベット等の連結部材Ｃで締め付けて固定される。
【００２７】
横桿３の基端部（縦軸部）３ａは、縦桿２に沿うように連続して形成されて縦桿２の下端の仕掛け止着部２ｂ近接の上方にリベット等の連結部材Ｃで締め付けて、連結部材Ｃより下側に屈曲部３ｂが形成されて、横桿３は屈曲部３ｂを介して縦桿２に対して略直角にその周方向へ先端部（横軸部）３ｅが突出している。
【００２８】
そして、縦桿２の上端の仕掛け止着部２ａと下端の仕掛け止着部２ｂが両端から突出するようにしてその間の縦桿２を横桿３の基端部（縦軸部）３ａとともに管材４の筒部４ａで覆うように取り付けられている。
【００２９】
管材４の筒部４ａの下側に規制体となる度当部材４ｂが一体に形成されて度当部材４ｂは屈曲部３ｂの上方を覆っている。
度当部材４ｂａの下側には凹部４ｃが形成されて凹部４ｃに横桿３が下側から収納されている。
したがって、横桿３が上方に曲げられると度当部材４ｂに当接して曲がりが規制され、横桿３が下方に曲げられると度当部材４ｂの規制を受けずに曲がるようになっている。
管材４は金属や合成樹脂からなり、管材４の筒部４ａの中に縦桿２の上端の仕掛け止着部２ａと下端の仕掛け止着部２ｂの間の部分が挿通され、管材４の筒部４ａは縦桿２に遊嵌されているため両仕掛け止着部２ａ、２ｂ間を上下に移動できる。
他の構成は前記第１実施例と略同一である。
【００３０】
前記のように釣り用天秤１′が構成されると、魚が掛かった時など横桿３が屈曲部３ｂにおいても下方側に曲がって魚の引きを緩和し、上方側には曲がらないようにして屈曲部３ｂの折れを防止することができる。
横桿３が上方に変形した時はその上方を覆う度当部材４ｂに当たって屈曲が防止され、横桿３の折れが防止される。
規制体となる管材４の度当部材４ｂは上下方向の縦桿２および横桿３の基端部（縦軸部）３ａから外方へ突出する横桿３の先端部（横軸部）３ｅに屈曲変移する範囲Ｗの屈曲部３ｂの屈曲中心となる中間部Ｄよりも横桿３の先端部（横軸部）３ｅ側に及んで配されているため、横桿３が上方に変形しても屈曲部３ｂよりも先端側から曲がるため、屈曲部３ｂの中間部に応力が集中しないため横桿３の折れが防止される。
横桿３が下方に曲がった後旧位に戻った時凹部４ｃ内に嵌まって位置ずれが防止できる。
【符号の説明】
【００３１】
１、１′  釣り用天秤
２  縦桿
３  横桿
３ｂ  屈曲部
５  規制体
４ｂ、５ａ  度当部材
４ｃ、５ｂ  凹部
【図１】
2010227040.tif 000003
【図２】
2010227040.tif 000004
【図３】
2010227040.tif 000005
【図４】
2010227040.tif 000006